(57)【特許請求の範囲】
【請求項１】
セルラーネットワーク（３０５）内の複数の移動端末（３００）の内の所定移動端末の位置を判定する情報通信システムであって、
前記所定移動端末（３００）との間でワイヤレス通信を行う移動交換局（３３４）と、
前記移動交換局（３３４）に接続された測位ノード（３３６）と、
前記測位ノード（３３６）と通信を行う要求ノード（３４０）と、
を含み、
前記移動交換局（３３４）は、前記セルラーネットワーク（３０５）内の前記所定移動端末（３００）の位置に関する測位データ（ＴＡ１，ＴＡ２，ＴＡ３）を取得し、前記所定移動端末（３００）の位置算出において前記測位ノード（３３６）が用いるため、前記測位ノード（３３６）に対し前記測位データ（ＴＡ１，ＴＡ２，ＴＡ３）を送り、
前記測位ノード（３３６）は、測位要求（３８０）を、前記要求ノード（３４０）から受け取り、
前記測位要求（３８０）は、前記要求ノード（３４０）に要求され前記所定移動端末（３００）の測位に関連するサービス品質情報（３５０）を含み、
前記サービス品質情報（３５０）を実現可能であると、前記測位ノード（３３６）が判定した場合に、前記所定移動端末（３００）の位置を前記測位ノード（３３６）が決定することを特徴とする情報通信システム。
【請求項２】
前記測位ノード（３３６）は承認メッセージを前記要求ノード（３４０）に送ることを特徴とする請求項１に記載の情報通信システム。
【請求項３】
前記承認メッセージは、前記セルラーネットワーク（３０５）内の前記所定移動端末（３００）の位置と共に、前記要求ノード（３４０）に対し、送られることを特徴とする請求項２に記載の情報通信システム。
【請求項４】
前記承認メッセージは前記要求ノード（３４０）によって要求された前記サービス品質情報（３５０）の実現を示すものであることを特徴とする請求項３に記載の情報通信システム。
【請求項５】
前記承認メッセージは不可メッセージであって、
該不可メッセージは、前記所定移動端末（３００）の測位の前に、前記要求ノード（３４０）に送られ、
前記不可メッセージが送られると、前記所定移動端末（３００）の測位を中止することを特徴とする請求項２に記載の情報通信システム。
【請求項６】
前記サービス品質情報（３５０）は精度情報（３６５）を含むことを特徴とする請求項１に記載の情報通信システム。
【請求項７】
前記精度情報（３６５）は最大リージョン領域情報と最小確率情報を含むことを特徴とする請求項６に記載の情報通信システム。
【請求項８】
前記サービス品質情報（３５０）は適時性情報（３７５）を含むことを特徴とする請求項１に記載の情報通信システム。
【請求項９】
前記適時性情報（３７５）は、
前記測位データ（ＴＡ１，ＴＡ２，ＴＡ３）の最小最新性と、
前記測位データ（ＴＡ１，ＴＡ２，ＴＡ３）の測定から前記測位データ（ＴＡ１，ＴＡ２，ＴＡ３）の受取りまで間の最大経過時間と、
を含むことを特徴とする請求項８に記載の情報通信システム。
【請求項１０】
前記サービス品質情報（３５０）はネットワークインパクト情報（３７０）を含むことを特徴とする請求項１に記載の情報通信システム。
【請求項１１】
前記ネットワークインパクト情報（３７０）は、最大許容資源割振り情報と最大許容ネットワーク機能低下情報とを含むことを特徴とする請求項１０に記載の情報通信システム。
【請求項１２】
前記サービス品質情報（３５０）は結果形状情報（３６０）とフォーマット情報（３５５）を含むことを特徴とする請求項１に記載の情報通信システム。
【請求項１３】
前記フォーマット情報（３５５）は二次元フォーマットであり、前記結果形状情報（３６０）は、円、だ円、およびポリゴンを含むグループから選択されることを特徴とする請求項１２に記載の情報通信システム。
【請求項１４】
前記フォーマット情報（３５５）は三次元フォーマットであって、前記結果形状情報（３６０）は、球、楕円体、及びタイル貼り状立体形状を含むグループから選択されることを特徴とする請求項１２に記載の情報通信システム。
【請求項１５】
セルラーネットワーク（３０５）内の複数の移動端末（３００）の内の一つの所定移動端末（３００）の位置を判定する方法であって、
要求ノード（３４０）が、前記セルラーネットワーク（３０５）内の測位ノード（３３６）に対し、測位要求（３８０）と前記要求ノード（３４０）に要求され前記所定移動端末（３００）の測位に関連するサービス品質情報（３５０）とを送信するステップと、
前記サービス品質情報（３５０）を実現可能であると、前記測位ノード（３３６）が判定した場合に、前記測位ノード（３３６）が、前記所定移動端末（３００）の位置を測定するステップと、
を有し、
前記測位ノード（３３６）は、移動交換局（３３４）に接続され、前記所定移動端末の位置を、前記測位データ（ＴＡ１，ＴＡ２，ＴＡ３）を用いて算出し、
前記移動交換局（３３４）は、前記所定移動端末（３００）との間でワイヤレス通信を行い、前記セルラーネットワーク（３０５）内の前記所定移動端末（３００）の位置に関連した測位データ（ＴＡ１，ＴＡ２，ＴＡ３）を取得し、前記測位ノード（３３６）に該測位データ（ＴＡ１，ＴＡ２，ＴＡ３）を送信し、前記測位ステップを実行させることを特徴とする方法。
【請求項１６】
前記分析ステップの後に、前記測位ノード（３３６）が前記要求ノード（３４０）に対して、承認メッセージを送信するステップを更に有することを特徴とする請求項１５に記載の方法。
【請求項１７】
前記測位ステップの後に、前記測位ノード（３３６）が、前記セルラーネットワーク（３０５）内の前記移動端末（３００）の位置を送信するステップを更に有し、
前記承認メッセージの送信ステップは、前記所定移動端末（３００）の位置の送信ステップとほぼ同時に実行されることを特徴とする請求項１６に記載の方法。
【請求項１８】
前記承認メッセージは前記要求ノード（３４０）によって要求される前記サービス品質情報（３５０）の実現を示すことを特徴とする請求項１７に記載の方法。
【請求項１９】
前記承認メッセージは不可メッセージであって、
該不可メッセージは、前記所定移動端末（３００）の測位ステップの前に、前記要求ノード（３４０）に送られ、
前記不可メッセージが送られると、前記所定移動端末（３００）の測位ステップは実行されないことを特徴とする請求項１６に記載の方法。
【請求項２０】
前記サービス品質情報（３５０）は精度情報（３６５）を含むことを特徴とする請求項１５に記載の方法。
【請求項２１】
前記精度情報（３６５）は最大リージョン領域情報と最小確率情報を含むことを特徴とする請求項２０に記載の方法。
【請求項２２】
前記サービス品質情報（３５０）は適時性情報（３７５）を含むことを特徴とする請求項１５に記載の方法。
【請求項２３】
前記適時性情報（３７５）は、
前記測位データ（ＴＡ１，ＴＡ２，ＴＡ３）の最小最新性と、
前記測位データ（ＴＡ１，ＴＡ２，ＴＡ３）の測定から前記測位データ（ＴＡ１，ＴＡ２，ＴＡ３）の受取りまで間の最大経過時間と、
を含むことを特徴とする請求項２２に記載の方法。
【請求項２４】
前記サービス品質情報（３５０）はネットワークインパクト情報（３７０）を含むことを特徴とする請求項１５に記載の方法。
【請求項２５】
前記ネットワークインパクト情報（３７０）は、最大許容資源割振り情報と最大許容ネットワーク機能低下情報とを含むことを特徴とする請求項２４に記載の方法。
【請求項２６】
前記サービス品質情報（３５０）は結果形状情報（３６０）とフォーマット情報（３５５）を含むことを特徴とする請求項２５に記載の方法。
【請求項２７】
前記フォーマット情報（３５５）は二次元フォーマットであり、前記結果形状情報（３６０）は、円、だ円、およびポリゴンを含むグループから選択されることを特徴とする請求項２６に記載の方法。
【請求項２８】
前記フォーマット情報（３５５）は三次元フォーマットであって、前記結果形状情報（３６０）は、球、楕円体、及びタイル貼り状立体形状を含むグループから選択されることを特徴とする請求項２６に記載の方法。
【発明の詳細な説明】
【０００１】
【発明の属する技術分野】
本発明は、概して、セルラーネットワーク中の移動端末の位置を判定するための情報通信システムと方法に関する。特に、本発明は、リクエスティングアプリケーションが、所望の測位情報品質を示すことを可能とするものであり、要求されるサービス品質を実現することができるか否かを、測位を行うセルラーネットワークが示すことを可能とするものである。
【０００２】
【従来の技術】
セルラー情報通信は、最も成長が早く、最も要求の多い情報通信アプリケーションの１つである。今日、世界中のすべての新しい電話利用の内、このセルラー情報通信が大きな割合を占め、この割合はとどまることなく増加している。移動体通信用グローバルシステム（ＧＳＭ）のデジタルモバイルセルラー無線システムの規格を統一するため、標準化グループである、ヨーロッパ情報通信規格学会（ＥＴＳＩ）が、１９８２年に設立された。
【０００３】
ここで図１を参照すると、ここには、ＧＳＭ公共地上移動体ネットワーク（ＰＬＭＮ）が、セルラーネットワーク１０として示されている。このネットワーク内には、順に、複数のエリア１２を含み、このエリア１２は、移動交換局（Mobile Switching Center：ＭＳＣ）１４を有し、このＭＳＣは内部にヴィジターロケーションレジスタ（ＶＬＲ）１６を組み込んでいる。ＭＳＣ／ＶＬＲエリア１２は、複数のロケーションエリア（ＬＡ）１８を含んでいる。このＬＡ１８は、ＭＳＣ／ＶＬＲエリア１２の一部として定義され、移動局（ＭＳ）（端末）２０は、ＬＡ１８を制御するＭＳＣ／ＶＬＲエリア１２に対し、更新位置情報を送信する必要なく自由に移動できる。それぞれのロケーションエリア１８は多くのセル２２に分割される。移動局（ＭＳ）２０は、例えば、車載電話または他の携帯電話といった物理的装置であり、移動する利用者が、セルラーネットワーク１０に対して、互いに、及び、この契約ネットワーク外におけるユーザと、無線及び有線の両方で、通信を行うためにも用いられる。
【０００４】
ＭＳＣ１４は、少なくとも１台の基地局コントローラ（ＢＳＣ）２３との間で通信を行っており、このＢＳＣ２３は更に、少なくとも１つのベーストランシーバ局（ＢＴＳ）２４と接続されている。ＢＴＳは簡単のため無線タワーとして描かれているが、物理的な設備であって、責任を有するセル２２に対して、無線通信範囲を提供する。ＢＳＣ２３は、いくつかのベーストランシーバ局２４に接続されてもよく、また、スタンドアロンのノードとして実行されても、または、ＭＳＣ１４に組み込まれてもよいことを理解すべきである。いずれにせよ、ＢＳＣ２３とＢＴＳ２４の構成要素は、全体として、一般に基地局システム（ＢＳＳ）２５と呼ばれる。
【０００５】
更に図１を参照すると、ＰＬＭＮサービスエリアかセルラーネットワーク１０はホームロケーションレジスタ（ＨＬＲ）２６を含む。このＨＬＲ２６は、すべての利用者情報、例えば、ユーザプロファイル、現在位置情報、国際移動体利用者識別子（ＩＭＳＩ）、及び、その他の管理情報、を保守するデータベースである。ＨＬＲ２６は所定のＭＳＣ１４と一緒に配置されてもよいし、ＭＳＣ１４に組み込まれてもよいし、或いは、並列の（マルチプル）ＭＳＣ１４に対してサービスを提供することもできる。後者の場合が図１に示されている。
【０００６】
ＶＬＲ１６は、ＭＳＣ／ＶＬＲエリア１２内に現在位置するすべての移動局２０についての情報を含むデータベースである。ＭＳ２０が新しいＭＳＣ／ＶＬＲエリア１２に移動すれば、次のＭＳＣ１４に接続されたＶＬＲ１６は、ＨＬＲデータベース２６からその移動局２０に関するデータを要求する（同時にＭＳ２０の現在位置についてＨＬＲ２６に知らせる）。従って、ＭＳ２０のユーザが電話をかけたい場合、ローカルなＶＬＲ１６は、ＨＬＲ２６に再度問い合わせるする必要なく、必要な識別情報を有している。上述の方法においては、ＶＬＲデータベース１６及びＨＬＲデータベース２６は、それぞれ、所定のＭＳ２０に関する様々な利用者情報を含んでいる。
【０００７】
セルラーネットワーク１０内のＭＳ２０の地理的な位置を判定することは、近年、広い分野のアプリケーションにとって重要なものとなってきている。例えば、測位サービスは、輸送会社やタクシー会社により、それらの乗り物の位置を決定するために利用することもできる。さらに、例えば、９１１コールといった、緊急呼び出しについては、ＭＳ２０の正確な位置は、緊急事態の結末に対し、非常に重要な意味を持つ。さらに、盗まれた車の位置を判定するのに測位サービスを利用することもできるし、また、（低いレートでチャージされた）ホームゾーンコールの検出のためや、マイクロセルのホットスポットの検出のためや、或いは、利用者が、例えば、最も近いガソリンスタンド、レストラン、または病院を判定するために、この測位サービスを利用することができる。
【０００８】
図２から分かるように、ネットワークの測位要求の際に、ＭＳ２００にサービスを提供する基地局システム（ＢＳＳ）（２２０と２４０）が、位置データを生成する。それは移動交換局（ＭＳＣ）２６０に配布される。そして、この測位データは、ＭＳ２００の地理的な位置の算出のため、モバイルポジショニングセンター（ＭＰＣ）２７０に送られる。そして、ＭＳ２００の位置を、測位を要求したアプリケーション２８０に送ることができる。その他、リクエスティングアプリケーション２８０を、ＭＳ２００自体の内部に配置することも、又は、ネットワーク（ＭＳＣ／ＶＬＲ２６０）内に配置することも可能である。正確にＭＳ２００の位置を判定するためには、３つ以上の別々のベーストランシーバ局（２１０、２２０、および２３０）からの測位データが必要となる。ＧＳＭシステム用のこの測位データは、例えば、タイミングアドバンス（ＴＡ）を含む。このＴＡは、そのＭＳ２００に割り当てられたタイムスロット内に、ＢＴＳ２２０がそのメッセージを受け取るように、メッセージを送信しなければならなくなる前の時間量に対応する。メッセージがＭＳ２００からＢＴＳ２２０まで送られるとき、伝ぱん遅延がある。それはＭＳ２００とＢＴＳ２２０の間の距離による。ＴＡ値はビット期間で表現され、０〜６３の範囲の値を取りうる。それぞれのビット期間は、ＭＳ２００とＢＴＳ２２０との間の約５５０メートルに対応している。しかしながら、ここで議論するＴＡ値の代わりに、セルラーシステムの時間、距離、または角度のどんな評価も使用することができるということは、理解されるべきである。
【０００９】
一度、ＴＡ値が１つのＢＴＳ２２０について決定されると、ＭＳ２００とその特定のＢＴＳ２２０の間の距離は明らかになるが、実際の位置は、不明である。例えばＧＳＭシステムにおいて、ＴＡ値が１に等しいなら、半径５５０メートルから１１００メートル円状の領域（region）のどこにでも、ＭＳ２００が存在しうる。２つのＢＴＳ、例えば、ＢＴＳ２１０と２２０からの２つのＴＡ値は、ＭＳ２００が位置することができる（２個の環が交差する）２つの可能な位置を提供する。しかしながら、３つのＢＴＳ、例えば、ＢＴＳ２１０、２２０、および２３０からの３つのＴＡ値を用いれば、ＭＳ２００の位置はある精度で決定される。適切なアルゴリズムを用いて、３つのＴＡ値と各ＢＴＳ（２１０、２２０、および２３０）に関するサイト位置データとが分かれば、移動局２００の位置は、（ある幾何学的な配置を除き）曖昧ではなく測位センター２７０によって、（ある精度を持って）決定される。
【００１０】
したがって、タイミングアドバンス（ＴＡ）値は、オリジナル（サービスを提供している）ＢＴＳ  ２２０と、隣接した（ターゲットとなる）２つのＢＴＳ（２１０と２３０）と、から取得される。各ターゲットＢＴＳ（２１０と２３０）がＴＡ値を決定するためには、各ＢＴＳ（２１０と２３０）へ測位の引き渡し（positioning handover）が行われなければならない。測位の引き渡しは通常の非同期ハンドオーバと似ている。ターゲットＢＴＳ（例えば、ＢＴＳ２１０）はチャネルアクティベイションメッセージでの新しいアクティベイトタイプによる通常のハンドオーバと、測位の引き渡しを区別する。通常のハンドオーバと異なり、ＭＳ２００からのハンドオーバアクセスメッセージの受信の際に、ターゲットＢＴＳ２１０はＴＡ値を算出するのみであって、移動局２００には、応答しない。すなわち、どんな物理情報もＭＳ２００に送られない。したがって、ＭＳ２００は、ＭＳ２００の内部カウンタによって定義された時間制限（例えば、３００ミリ秒）が過ぎた後で、オリジナルＢＴＳ２２０によって割り当てられた前のチャネルへ戻るであろう。
【００１１】
一度、ＭＳ２００の位置が判定されると、この位置はリクエスティングアプリケーション２８０に送られる。しかしながら、リクエスティングアプリケーション２８０には、現在、所望の測位情報品質、例えば、精度及び／又は適時性、を示す能力がない。多くのリクエスティングアプリケーション２８０は、特定のＭＳ２００の測位についての、サービス品質（ＱＯＳ）パラメータを指定することができることを願っている。このＱＯＳパラメータには、測位を実行するセルラーネットワーク２０５によって返された測位情報の、データレイト及び／又は信頼度などがある。さらに、一度、ＱＯＳパラメータが、測位を実行するネットワーク２０５によって受け取られれば、ネットワーク２０５は、示されたＱＯＳが実現可能か否かを、リクエスティングアプリケーション２８０に対して、示すことができるに違いない。現在、サービス品質の要求を受付け、要求されたサービス品質の達成の承認するための方法は知られていない。
【００１２】
【発明が解決しようとする課題】
したがって、本発明の目的は、リクエスティングアプリケーションが、位置情報に関して所望のサービス品質を示せるようにすることにある。
【００１３】
本発明の更に他の目的は、セルラーネットワークにより、移動端末の測位を実行する前に、要求されたサービス品質を実現することができるか否かをリクエスティングアプリケーションに示せるようにすることにある。
【００１４】
【課題を解決するための手段】
本発明は、移動端末の測位を要求するアプリケーションによって、所望の測位情報品質、例えば、適時性、正確性、等を示す情報通信システム及び方法に向けられる。
【００１５】
加えて、その測位を実行する前に、セルラーネットワークによって、要求されたサービス品質を実現することができるか否かを判定しなければならず、もし、実現できるならば、要求されたサービス品質が実現されたことを示すメッセージと共に、測位情報を返さなければならない。
しかしならがら、もし要求されたサービス品質が実現できない場合は、できなかった旨のメッセージが、その要求するアプリケーションに対して送られなければならず、測位は中断される。
【００１６】
【発明の実施の形態】
ここで、本出願の多数の革新的な教示を、現在のところ好適な典型的な実施の形態を特に参照して、説明する。しかしながら、このクラスの実施の形態は、ここでの革新的な教示の多くの有利な利用に関するほんの二三の例を提供したものにすぎないことを理解すべきである。一般に、本出願の明細書における記述は、必ずしも、様々なクレームされた発明のいずれも限定するものではない。更に、いくつかの記述は、いくつかの発明的な特徴に適用されてもよいが、他の特徴には適用されない。
【００１７】
ここで、図３を参照すると、アプリケーション（ノード）３４０がセルラーネットワーク３０５内の移動局（ＭＳ）３００の測位を要求する際には、そのリクエスティングアプリケーション（ノード）３４０は、返された測位情報の所望のサービス品質（ＱＯＳ）３５０を示すことができる。返されたボジショニング情報の所望のフォーマット３５５に応じて、このＱＯＳ３５０情報を表現することができる。例えば、リクエスティングアプリケーションで使用することができる４つのタイプのフォーマット３５５は、二次元の静的な値（例えば、緯度および経度）や、三次元の静的な値（例えば、緯度、経度および高度）や、二次元速度ベクトル（例えば、二次元の出発点および二次元ベクトル）や、三次元速度ベクトル（例えば、三次元の出発点および三次元ベクトル）を含む。４つの上記フォーマット３５５の代わりに他のタイプのフォーマット３５５をも使用できることを理解するべきである。
【００１８】
これらフォーマット３５５の各々に対し、リクエスティングアプリケーション３４０は、そのフォーマット３５５に合ったサービス品質（ＱＯＳ）３５０を示すことができる。要求された測位情報に対するサービス品質３５０は測位されたＭＳ３００の実際の位置の不確定性の結果形状３６０、例えば、円、だ円、またはポリゴン、を含み、また、測位情報の精度３６５、測位情報の適時性３７０、及び、測位を実行するための最大のネットワークインパクト３７５を含む。
【００１９】
例えば、セルネットワーク３０５は、所望のフォーマット３５５に応じて、測位の不確定性（uncertainty）についての、ある許容結果形状（result shape）３６０を提供することができる。二次元値（静的位置或いは速度ベクトル）のフォーマット３５５がアプリケーション３４０によって要求されるならば、不確定性３６０の結果形状は、例えば、円、だ円またはポリゴンとなり得る。だ円の結果形状３６０は、円の結果形状３６０よりも正確にＭＳ３００の位置を反映するが、だ円の結果形状３６０は、有効にだ円の結果形状３６０を利用するために、より高度なリクエスティングアプリケーション３４０を必要とする。一方、三次元の値（静的位置又は速度ベクトル）フォーマット３５５がアプリケーション３４０によって要求されるならば、結果形状３６０は、例えば、球、だ円体面またはタイル張りのような立体形状かもしれない。三次元フォーマット３５５は、構造上より高度であり、それ故、緊急事態での応用例、例えば、９１１オペレータなどの、迅速対応時間で頻繁な測位要求を扱うアプリケーション３４０には、望ましくないかもしれない。
【００２０】
測位情報の精度３６５は、利用された測位データの数と、セルラーネットワーク３０５によって使用される測位計算法との両方に応じて、大きく変化しうる。受入れられた結果形状３６０によって囲まれた領域と定義された領域３６０内にＭＳ３００が存在する確率と、によって、測位情報の精度３６５を定義できる。二次元フォーマット（静的位置或いは速度ベクトル）３５５に対しては、結果形状３６０によって囲まれた領域はメータの二乗で測定される。一方、三次元のフォーマット（静的位置或いは速度ベクトル）３５５に対しては、結果形状３６０によって囲まれた立体形状はメータの三乗で測定される。さらに、三次元フォーマット３５５の精度３６５は、ＭＳ３００の初期位置の精度だけでなく、速度ベクトルの精度、例えば、ＭＳ３００の角度およびスピードに対しても、依存しない。
【００２１】
リクエスティングアプリケーション３４０は、結果形状３６０の所望の最大領域（または、立体形状）と、定義された領域３６０内にＭＳ３００が存在する所望の確率を、を特定することができる。例えば、リクエスティングアプリケーション３４０は、ＭＳ３００の位置の不確定性が、１００平方メートルの結果形状３６０内に存在すること、及びその定義された１００平方メートルの領域３６０内にある確率が９０パーセント（．９）であることを要求できる。測位を実行するセルラーネットワーク３０５が、最大の許容領域（或いは立体形状）内に結果形状３６０を実現させることができない場合、及び／又は、定義領域３６０内にＭＳ３００が存在する確率が許容できる確率内に収まり得ない場合には、セルラーネットワーク３０５は、所望のサービス品質を実現できないことを、リクエスティングアプリケーション３４０に、知らせなければならず、ＭＳ３００の測位を中止しなけらばならない。
【００２２】
測位を実行するリクエスティングアプリケーション３４０のコストは、結果形状領域３６０の所望のサイズと、ＭＳ３００が領域３６０の中に存在する確率と、に直接関連する。より小さい領域やより大きい確率を求めるには、通常、より多くの測位データか、より洗練された測位方法を必要とする。したがって、ネットワーク資源、例えば、３つ以上のベーストランシーバ局（３１０、３２０および３３０）からの測定要求、の追加割り当てが必要となる。
【００２３】
したがって、また、リクエスティングアプリケーション３４０は、測位要求のために、ネットワークインパクト３７０、例えば、最大リソース利用量およびネットワーク機能低下を考慮しなければならない。リクエスティングアプリケーション３４０に予算の制約条件があるならば、リクエスティングアプリケーション３４０は最大のリソース利用３７０のために低い閾値を設定することができる。例えば、１対１０のスケールに関して、１が最低リソース利用であり、１０が無制限なリソース利用であるが、リクエスティングアプリケーション３４０は、測位を実行するコストを最小にするために最大リソース利用３７０を１に設定することができる。しかしながら、リクエスティングアプリケーション３４０は、また、要求された最小リソース利用３７０を考慮して、結果形状３６０を最大領域と確率要素を設定しなければならない。本発明の好適な実施の形態において、それぞれの個々のネットワークオペレータ３０５はリクエスティングアプリケーション３４０による許可できるエントリ、例えば、１〜１０の数、のそれぞれに対して、利用量の閾値と、関連するコストと、を定義することができる。
【００２４】
さらに、リクエスティングアプリケーション３４０はＭＳ３００の測位のため受入れられるネットワーク機能低下３７０の最大量を設定することができる。例えば、リクエスティングアプリケーション３４０がピーク時間（移動端末の多くが使用中である時）でのＭＳ３００の測位を要求するならば、リクエスティングアプリケーション３４０へのコストは、要求がオフピークタイムに送られた場合に比し、より大きくなるであろう。これは移動端末のために通常予約されるチャネルが、測位を実行する割り当てに必要であるという事実による。したがって、測位データを得るＭＳＣ／ＶＬＲ３３４によって通信可能となる領域３０５内の追加移動局（不図示）から／への呼び出しは行われない。したがって、リクエスティングアプリケーション３４０は、ネットワーク機能低下３７０の量、例えば、測位を実行するために呼のブロッキングを行うことができるか否か、を判定し、測位要求と共にこの情報を送らなければならない。
【００２５】
リクエスティングアプリケーション３４０によって送られたサービス品質情報の他の内容は、ＭＳ３００の位置のデリバリの適時性３７５である。いくつかの場合、リクエスティングアプリケーション３４０は、すぐにＭＳ３００を測位する必要がるかもれない。一方で、他のアプリケーション３４０にとっては、数分、数時間または数日間もの間、測位情報を送る必要が無いかもしれない。例えば、救急センタ（例えば、９１１オペレータ）は、緊急サービスをＭＳ３００に送り込むため、すぐに（高い優先度で）測位データを得る必要があるだろう。しかし一方で、会社（例えば、輸送会社やタクシー会社）が、定期的に測位を実行する場合、その会社は、測位が、システム負荷を最小にするため、低優先順位ベースに実行されるのを要求することができる。リクエスティングアプリケーションは、例えば、その測定がｎ秒前以降になりえること、といった要求される測位データの最新性（currency）を指定することもできる。また、例えば、測定結果はｎ秒以内に返されなければならない、といった最大許容位置判定時間を指定することもできる。繰り返すと、リクエスティングアプリケーション３４０に対するコストは、要求される情報の緊急性に比例している。したがって、コストを最小にするため、リクエスティングアプリケーション３４０は、測位を実行するセルラーシステム３０５が測位データを集めて、位置を返す時間に制限がないことを３７５に示すことができる。
【００２６】
次に図４を参照すると、ＭＳ３００が存在する領域にサービスを提供するセルラーネットワーク３０５内の移動体測位センター（ＭＰＣ）３３６に対し、所望のＱＯＳ情報３５０が測位要求３８０の一部として送られる（ステップ４００）。ＭＰＣ３３６が、測位要求３８０を一旦受信すると、ＭＰＣ３３６は所望のフォーマット３５５とＱＯＳ３５０をチェックし（ステップ４０５）、測位が実行できるか否か判定する（ステップ４１０）。ＭＰＣ３３６が、要求されるフォーマット３５５又は要求されたＱＯＳ３５０を、ＭＳ３００の測位において提供することができないならば（ステップ４１０）、ＭＰＣ３３６は測位要求３８０を拒絶し（ステップ４１５）、リクエスティングアプリケーション３４０に、測位を実行することはできないことを知らせる（ステップ４２０）。
【００２７】
しかしながら、ＭＰＣ３３６が測位を実行することができるならば（ステップ４１０）、そのときは、測位要求３８０は、ＭＳ３００が存在する領域にサービスを提供するＭＳＣ／ＶＬＲ３３４に、送られる（ステップ４２５）。そして、測位要求３８０がサービスを提供するＭＳＣ／ＶＬＲ３３４によって受信された後に（ステップ４２５）、サービスを提供するＭＳＣ／ＶＬＲ３３４は、測位要求３８０を、サービスを提供する基地局コントローラ（ＢＳＣ）３３２に送る（ステップ４３５）。ＭＳ３００がアイドルモードであるならば、測位要求３８０をＢＳＣ３３２に送る前に（ステップ４３５）、サービスを提供するＭＳＣ／ＶＬＲ３３４は、ＭＳ３００を呼び出して、ＭＳ３００に呼を設定しなければならない。この呼は、ＭＳ３００において呼出音を鳴らさない。従って、ＭＳ３００はこの呼の到着に気付かない。
【００２８】
そして、端を発したＢＳＣ３３２は、どのベーストランシーバ局（ＢＴＳ）３２０が現在、ＭＳ３００にサービスを提供しているかを判定し（ステップ４４０）、タイミングアドバンス（ＴＡ）値（ＴＡ１）、或いは、他の測位データを、このサービスを行うＢＴＳ３２０から獲得する（ステップ４４５）。その後、ＴＡ値は、測位引き渡しを実行する（ステップ４５０）ことによって、２つのターゲットとなるＢＴＳｓ（３１０と３３０）から得られる（ステップ４７５）。サービスを提供するＢＴＳ３２０が、測位ををサポートしない場合、他のターゲットＢＴＳ（不図示）が選択されなければならない。なお、ここで、議論したように、ＴＡ値を得る代わりに他の測位方法を使用することもできる。さらに３つ以上のＢＴＳｓ（３１０、３２０、３３０）を使用してＭＳ３００の測位を実行してもよい。
【００２９】
ターゲットＢＴＳ３３０に対するチャネルアクティベイションメッセージにおける新しいアクティベイションタイプを送るＢＳＣ３３２は、ターゲットＢＴＳｓ３３０の１つへの測位引き渡しを実行する（ステップ４５０）。これにより、ＢＴＳ３３０は、測位引き渡しが、実行される必要があること知る（ステップ４５５）。そして、ターゲットＢＴＳ３３０はチャネルアクティベイションメッセージを、サービスを提供するＢＳＣ３３２に知らせる（ステップ４６０）。
【００３０】
その後、ＢＳＣ３３２は、サービスを供給するＢＴＳ３２０を通してコマンドをＭＳ３００に送り（ステップ４６５）、ターゲットＢＴＳ３３０に、引き渡しアクセスメッセージを送信する（ステップ４７０）。ＭＳ３００がターゲットＢＴＳ  ３３０からの応答を待つ間、例えば約３２０のミリ秒の間に、ターゲットＢＴＳ３３０は、ＭＳ３００によって送られたアクセスバーストを使用して、タイミングアドバンス値（アクセス遅延）（ＴＡ３）を測定する（ステップ４７５）。この測位データをサービスを提供するＢＳＣ３３２に送る（ステップ４８０）。そして、以上述べられたのと同じ方法でもう他のターゲットＢＴＳ３１０に測位引き渡しを実行することができる。ターゲットＢＴＳ３３０によって測定されたＴＡ値（ＴＡ３）は、サービスを提供するＢＴＳ３２０と他のターゲットＢＴＳｓ３１０とから得られたＴＡ値（ＴＡ１及びＴＡ２）と共に、サービスを提供するＢＳＣ３３２によってＭＳＣ３３４に送信される（ステップ４８５）。
【００３１】
最終的には、ターゲットＢＴＳ３３０から取得されるＴＡ値（ＴＡ３）は、他のＴＡ値（ＴＡ１とＴＡ２）と共に、ＭＳＣ３３４から、サービスを提供するな移動体測位センター（ＭＰＣ）３３６に送られる。ここで、ＭＳ３００の位置を、三角形アルゴリズムを用いて決定する（ステップ４９５）。そして、ＭＰＣ３３６はリクエスティングアプリケーション（ノード）３４０に対し、ＭＳ３００の地理的な位置とＱＯＳ情報を提示する（ステップ４９８）。
【００３２】
ＭＰＣ３３６からリクエスティングアプリケーション３４０への測位応答（ステップ４９８）は、（要求された測位情報３８０のフォーマット３５５に基づいた）位置測定のＱＯＳに関連する以下の情報を含むことができる。返された結果形状３６０、リージョン（region）パラメータ（例えば、結果形状を定義するポイント）、リージョン領域（結果形状３６０の要求された領域と等しいか或いはそれよりも小さい領域でなければならない）、ＭＳ３００が結果形状３６０のリージョン領域内にある確率（これは、要求された確率より等しいか或いは少なくなければならない）、最初の測定の時間、最後の測定の時間、使用される測位方法（例えばＴＡ値に基づく三角法）。速度ベクトルのフォーマット（二次元又は三次元）３５０として、ＭＰＣ３３６は、ＭＳ３００の推定される移動方向及び速度と、その推定される移動方向と速度の両方に関連したエラーと、を示さなければならない。
【００３３】
当業者によって認められるように、本出願で記述される革新的な概念は、広範囲の適用例にわたって、変形され、変更され得る。従って、特許内容の技術的範囲は議論された特定の典型的な教示のいずれにも制限されるべきでない。
【００３４】
例えば、位置測定サービスは、利用者ＭＳ中にある、又は、それに接続されたアプリケーションによって、或いは、ネットワークアプリケーションによって、或いは、外部のアプリケーションによって、利用されることができることに注意すべきである。
【図面の簡単な説明】
【図１】  従来の地上系ワイヤレス情報通信システムを示すブロック図である。
【図２】  ターゲットのベーストランシーバステーションによって取得された測位データを用いて、セルラーネットワーク内の移動端末の位置を決定する測位プロセスの一例を示す図である。
【図３】  測位を要求するアプリケーションによって提供されるサービス情報品質に基づくセルラーネットワーク内の移動端末の測位を示す図である。
【図４】  サービス情報品質を利用した測位プロセスの一例における処理を示すフローチャートである。
【図１】
0004402293.tif 000002
【図２】
0004402293.tif 000003
【図３】
0004402293.tif 000004
【図４】
0004402293.tif 000005